(57)【要約】【課題】複数のテーブル什器を配列したときに、テーブル什器間の配線の引き回しと、各テーブル什器における配線の引き回しとを容易に行うことを可能とする。【解決手段】ダクト１４は、天板の下面と並行な平板状の基部１４ａと、当該基部１４ａの前後端から下方に向かって垂下して設けられた一対の前後片１４ｂと、各前後片１４ｂ下端から他方の前後片１４ｂに向かって延設されると共に電源配線Ｈ１が載置される内向き片１４ｃと、各前後片１４ｂ下端から他方の前後片１４ｂと反対側に向かって延設されると共にＬＡＮ配線Ｈ２が載置される外向き片１４ｄとを備える。【選択図】図４
2015084988.tif 000002
【特許請求の範囲】
【請求項１】
作業面を形成する天板と、当該天板を支持する複数の脚部と、前記天板の下面に吊り下げ支持されるダクトとを備えると共に、他の什器と連結可能なテーブル什器であって、
前記ダクトは、前記他の什器とテーブル什器との配列方向を左右方向とし、当該左右方向と直交する水平方向を前後方向としたときに、
天板の下面と並行な平板状の基部と、
当該基部の前後端から下方に向かって垂下して設けられた一対の前後片と、
各前後片下端から他方の前後片に向かって延設されると共に他の什器との間で架け渡される配線が載置される内向き片と、
各前後片下端から他方の前後片と反対側に向かって延設されると共に前記天板で使用される電子機器と接続される配線が載置される外向き片と
を備えることを特徴とするテーブル什器。
【請求項２】
前記前後片に貫通部が設けられていることを特徴とする請求項１記載のテーブル什器。
【請求項３】
前記内向き片に載置される配線が電源タップを有し、
前記内向き片の内側端に立設されると共に上端が前記基部と離間された係止片を備え、
前記基部と、前記前後片と、前記内向き片と、前記係止片とによって囲まれる空間に前記電源タップを収容すると共に、前記係止片と前記基部との隙間寸法が前記電源タップの高さ寸法よりも小さく設定されている
ことを特徴とする請求項１または２記載のテーブル什器。
【請求項４】
箱状の引出し本体と、当該引出し本体をスライド可能に支持する支持手段とからなる引出し機構を備え、
前記引出し本体が当該引出し本体の背面側を形成すると共に配線挿通部が設けられた背面パネルを備え、
前記ダクトの外向き片に載置された配線が前記背面パネルに設けられた前記配線挿通部を通じて前記引出し本体の内部に引き込まれている
ことを特徴とする請求項１〜３いずれか一項に記載のテーブル什器。
【請求項５】
前記天板の平面視形状が矩形であり、当該矩形の４辺の各々に対して前記引出し本体が設けられていることを特徴とする請求項４記載のテーブル什器。
【発明の詳細な説明】
【技術分野】
【０００１】
本発明は、テーブル什器に関するものである。
【背景技術】
【０００２】
例えば、特許文献１〜３には、作業面を形成する天板と、この天板を支持する脚部とを備えたテーブル什器が記載されている。オフィスや公共施設等における執務空間においては、作業を行う際に、このようなテーブル什器を使用することが一般的となっている。こうしたテーブル什器は、例えば前後左右等の様々な方向からアクセス可能とされており、個別の集中作業やミーティング、定席使用やフリーアドレス使用等の多種多様な使用形態に柔軟に対応可能とされている。また、大人数によるミーティングや広い作業面を必要とする作業では、複数のテーブル什器が並べて使用される。
【先行技術文献】
【特許文献】
【０００３】
【特許文献１】特許第４４２０４１３号公報
【特許文献２】特開２０００−２４５５３８号公報
【特許文献３】特開２０１３−１０２９９４号公報
【発明の概要】
【発明が解決しようとする課題】
【０００４】
ところで、近年においては、テーブル什器の作業面において電源が必要なパーソナルコンピュータ等の電子機器を用いた作業が多く行われている。このため、複数のテーブル什器を並べて使用するような場合には、電源に繋がる配線の引き回しが問題となる。また、１つのテーブル什器は、一般的に複数の作業者が同時に使用する。このため、各テーブル什器において、複数の作業者が同時に電子機器を使用できるように配線を引き回す必要もある。
【０００５】
本発明は、上述する問題点に鑑みてなされたもので、複数のテーブル什器を配列したときに、テーブル什器間の配線の引き回しと、各テーブル什器における配線の引き回しとを容易に行うことを可能とすることを目的とする。
【課題を解決するための手段】
【０００６】
本発明は、上記課題を解決するための手段として、以下の構成を採用する。
【０００７】
第１の発明は、作業面を形成する天板と、当該天板を支持する複数の脚部と、上記天板の下面に吊り下げ支持されるダクトとを備えると共に、他の什器と連結可能なテーブル什器であって、上記ダクトは、上記他の什器とテーブル什器との配列方向を左右方向とし、当該左右方向と直交する水平方向を前後方向としたときに、天板の下面と並行な平板状の基部と、当該基部の前後端から下方に向かって垂下して設けられた一対の前後片と、各前後片下端から他方の前後片に向かって延設されると共に他の什器との間で架け渡される配線が載置される内向き片と、各前後片下端から他方の前後片と反対側に向かって延設されると共に上記天板で使用される電子機器と接続される配線が載置される外向き片とを備えるという構成を採用する。
【０００８】
このような構成を採用する本発明によれば、ダクトの内向き片を用いて他の什器と間で架け渡される配線を引き回すことができ、ダクトの外向き片を用いて天板で使用される電子機器と接続される配線を引き回すことができる。このため、複数のテーブル什器を配列したときに、テーブル什器間の配線の引き回しと、各テーブル什器における配線の引き回しとを容易に行うことができる。
【０００９】
第２の発明は、上記第１の発明において、上記前後片に貫通部が設けられているという構成を採用する。
【００１０】
このような構成を採用する本発明によれば、内向き片に載置される配線を貫通部を通じて容易にダクトの外側に引き出すことができ、当該配線の引き回しを容易に行うことができる。
【００１１】
第３の発明は、上記第１または２の発明において、  上記内向き片に載置される配線が電源タップを有し、上記内向き片の内側端に立設されると共に上端が上記基部と離間された係止片を備え、上記基部と、上記前後片と、上記内向き片と、上記係止片とによって囲まれる空間に上記電源タップを収容すると共に、上記係止片と上記基部との隙間寸法が上記電源タップの高さ寸法よりも小さく設定されているという構成を採用する。
【００１２】
このような構成を採用する本発明によれば、内向き片に載置される電源タップが、内向き片から脱落することを防止することができる。このため、電源タップに対するコンセントの抜き差し作業を容易に行うことが可能となる。
【００１３】
第４の発明は、上記第１〜３いずれかの発明において、箱状の引出し本体と、当該引出し本体をスライド可能に支持する支持手段とからなる引出し機構を備え、上記引出し本体が当該引出し本体の背面側を形成すると共に配線挿通部が設けられた背面パネルを有し、上記ダクトの外向き片に載置された配線が上記背面パネルに設けられた上記配線挿通部を通じて上記引出し本体の内部に引き込まれているという構成を採用する。
【００１４】
このような構成を採用する本発明によれば、引出し本体の配線挿通部を通じて配線を引出し本体の内部に容易に引き込むことができる。したがって、各テーブル什器における配線の引き回しをより容易に行うことができる。
【００１５】
第５の発明は、上記第４の発明において、上記天板の平面視形状が矩形であり、当該矩形の４辺の各々に対して上記引出し本体が設けられているという構成を採用する。
【００１６】
このような構成を採用する本発明によれば、複数の引出し本体が設置されることになるため、引出し本体を使用できる範囲を広げることが可能となる。また、前後左右のどの方向から引出し付什器にアクセスした場合であっても、引出し本体を使用することができる。
【発明の効果】
【００１７】
本発明のダクトは、前後片下端から他方の前後片に向かって延設されると共に他の什器との間で架け渡される配線が載置される内向き片と、前後片下端から他方の前後片と反対側に向かって延設されると共に天板で使用される電子機器と接続される配線が載置される外向き片とを備える。このため、複数のテーブル什器を配列したときに、テーブル什器間の配線の引き回しと、各テーブル什器における配線の引き回しとを容易に行うことができる。
【図面の簡単な説明】
【００１８】
【図１】全ての引出しが収容された状態における本発明の一実施形態における第一テーブル什器及び第二テーブル什器を含むテーブルシステムの斜視図である。
【図２】全ての引出しが引き出された状態における本発明の一実施形態における第一テーブル什器及び第二テーブル什器を含むテーブルシステムの斜視図である。
【図３】本発明の一実施形態における第一テーブル什器が備える引出し本体の斜視図である。
【図４】本発明の一実施形態における第一テーブル什器が備えるダクトと第４引出し機構の引出し本体とを含む斜視図である。
【図５】本発明の一実施形態における第一テーブル什器が備えるダクトを下方から見上げた斜視図である。
【図６】本発明の一実施形態における第一テーブル什器が備えるダクトの断面図である。
【図７】全ての引出しが収容された状態における本発明の一実施形態における第一テーブル什器及び第二テーブル什器を含むテーブルシステムにおける模式的な配線図である。
【発明を実施するための形態】
【００１９】
以下、図面を参照して、本発明に係るテーブル什器の一実施形態について説明する。なお、以下の図面において、各部材を認識可能な大きさとするために、各部材の縮尺を適宜変更している。
【００２０】
本実施形態においては、本発明のテーブル什器の一実施形態である第一テーブル什器１００及び第二テーブル什器２００を備えるテーブルシステム１について説明する。図１は、全ての引出し本体２１が収容された状態における本実施形態のテーブルシステム１の斜視図である。また、図２は、引出し本体２１が引き出された状態における本実施形態のテーブルシステム１の斜視図である。
【００２１】
これらの図に示すように、テーブルシステム１は、第一テーブル什器１００、第二テーブル什器２００及びモニタースタンド３００を備えている。なお、以下においては、説明の便宜上、図１及び図２の矢印に示すように、第一テーブル什器１００、第二テーブル什器２００及びモニタースタンド３００が連結される方向（配列方向）を左右方向とし、これと直交する水平方向を前後方向とする。
【００２２】
第一テーブル什器１００は、天板１１、脚部１２、引出し機構１３及びダクト１４を備えている。天板１１は、上面が作業面１１ａとされた板状部材である。この天板１１は、平面視形状が正方形（矩形）とされており、作業面１１ａがコンセント等の設けられていない平面とされている。このような天板１１は、上方から見て、４つの辺が各々前側、後側、左側、右側に向くように配置されている。なお、天板１１の裏面（下面）側には、脚部１２等をネジ止めするためのネジ穴が複数設けられている。
【００２３】
脚部１２は、４か所に設けられており、図１及び図２に示すように天板１１の角部に設けられている。各脚部１２の下端部には、前後方向に向けて配置される回転軸によって回転可能に支持されたローラが設けられている。これによって、第一テーブル什器１００は左右方向に移動可能とされている。なお、以下の説明では、天板１１の前側を向く辺と右側向く辺とによって形成される角部に設けられた脚部１２を第１脚部１２ａと称し、右側を向く辺と後側を向く辺とによって形成される角部に設けられた脚部１２を第２脚部１２ｂと称し、後側を向く辺と左側を向く辺とによって形成される角部に設けられた脚部１２を第３脚部１２ｃと称し、左側を向く辺と前側を向く辺とによって形成される角部に設けられた脚部１２を第４脚部１２ｄと称する。
【００２４】
引出し機構１３は、脚部１２同士の間に配置されている。本実施形態においては、全ての脚部１２同士の間に引出し機構１３が設置されている。なお、以下の説明では、第１脚部１２ａと第２脚部１２ｂとの間に設置された引出し機構１３を第１引出し機構１３ａと称し、第２脚部１２ｂと第３脚部１２ｃとの間に設置された引出し機構１３を第２引出し機構１３ｂと称し、第３脚部１２ｃと第４脚部１２ｄとの間に設置された引出し機構１３を第３引出し機構１３ｃと称し、第４脚部１２ｄと第１脚部１２ａとの間に設置された引出し機構１３を第４引出し機構１３ｄと称する。
【００２５】
第１引出し機構１３ａは、支持レール２０（支持手段）と、引出し本体２１とから構成されている。支持レール２０は、天板１１の裏面に固定されており、引出し本体２１をスライド可能に支持する。この支持レール２０は、１つの引出し本体２１に対して２つ設けられており、一方の支持レール２０が引出し本体２１の引出し方向と直交する方向（前後方向）における一方の端部を支持し、他方の支持レール２０が引出し本体２１の他方の端部を支持する。
【００２６】
図３は、引出し本体２１の斜視図であり、（ａ）が引出し本体２１のみを示す斜視図であり、（ｂ）が引出し本体２１に加えて電源配線Ｈ１及びＬＡＮ配線Ｈ２を図示した斜視図である。これらの図に示すように、引出し本体２１は、底板２２と、前面パネル２３と、背面パネル２４と、側面パネル２５とを備えている。底板２２は、略矩形状の板部材であり、前面パネル２３と、背面パネル２４と、側面パネル２５とを支持する。
【００２７】
前面パネル２３は、底板２２の右側の縁に沿うように底板２２に対して立設された立片である。この前面パネル２３には、図３に示すように、上方に向けて開放された凹部からなる配線挿通部２３ａが設けられている。この配線挿通部２３ａは、引出し本体２１の内部と外部とを連通する開口であり、引出し本体２１が収納状態であっても引出し本体２１の外部から内部または内部から外部に電源配線Ｈ１及びＬＡＮ配線Ｈ２を引き回すことを可能とする部位である。なお、第１引出し機構１３ａにおいては、配線挿通部２３ａは、引出し本体２１を引き出すための取っ手としても機能する。
【００２８】
背面パネル２４は、底板２２の左側の縁に沿うように底板２２に対して立設された立片である。この背面パネル２４には、図３に示すように、上方に向けて開放された凹部からなる第１配線挿通部２４ａ、第２配線挿通部２４ｂ及び第３配線挿通部２４ｃが設けられている。これらの第１配線挿通部２４ａ、第２配線挿通部２４ｂ及び第３配線挿通部２４ｃは、前面パネル２３の配線挿通部２３ａと同様に、引出し本体２１が収納状態であっても引出し本体２１の外部から内部または内部から外部に電源配線Ｈ１及びＬＡＮ配線Ｈ２を引き回すことを可能とする部位である。
【００２９】
第１配線挿通部２４ａは、第２配線挿通部２４ｂ及び第３配線挿通部２４ｃに対して広く形成されており、太い配線や位置調整が必要な配線を挿通させるのに適している。第２配線挿通部２４ｂ及び第３配線挿通部２４ｃは、第１配線挿通部２４ａより狭い開口とされており、細い配線や移動させる必要のない配線を挿通させるのに適している。
【００３０】
また、第２配線挿通部２４ｂ及び第３配線挿通部２４ｃには、これらの第２配線挿通部２４ｂ及び第３配線挿通部２４ｃを囲って配設されると共に切欠き２４ｅが形成された可撓性環状部材２４ｄが設けられている。この可撓性環状部材２４ｄは、可撓性環状部材２４ｄを切断するように設けられた切欠き２４ｅを通じて電源配線Ｈ１及びＬＡＮ配線Ｈ２を出し入れ可能とされている。このような可撓性環状部材２４ｄを設けることによって、第２配線挿通部２４ｂ及び第３配線挿通部２４ｃに挿通された電源配線Ｈ１及びＬＡＮ配線Ｈ２が第２配線挿通部２４ｂ及び第３配線挿通部２４ｃから抜け出ることを防止することができる。
【００３１】
側面パネル２５は、前面パネル２３と背面パネル２４の端部同士に接続された立片である。この側面パネル２５の外面側には、支持レール２０に当接される突出部２０ａが設けられている。
【００３２】
このように、引出し本体２１は、底板２２と、底板２２から上方に向かって延在すると共に引出し本体２１の内部と引出し本体２１の外部とを連通する配線挿通部（配線挿通部２３ａ、第１配線挿通部２４ａ、第２配線挿通部２４ｂ及び第３配線挿通部２４ｃ）を有する立片（前面パネル２３及び背面パネル２４）とを有する箱状の部材とされている。
【００３３】
第２引出し機構１３ｂ、第３引出し機構１３ｃ及び第４引出し機構１３ｄは、引出し本体２１及び支持レール２０の向きが異なる。例えば、第２引出し機構１３ｂの引出し本体２１は、前面パネル２３が後側を向けて配置される。第３引出し機構１３ｃの引出し本体２１は、前面パネル２３が左側を向けて配置される。第４引出し機構１３ｄの引出し本体２１は、前面パネル２３が前側を向けて配置される。他の構成については、  第２引出し機構１３ｂ、第３引出し機構１３ｃ及び第４引出し機構１３ｄは、第１引出し機構１３ａと同様の構成をしているため、ここでの詳細な説明を省略する。
【００３４】
図１に戻り、ダクト１４は、上方から見て天板１１の中央に配置されるように、天板１１の下面に吊り下げ支持されている。図４は、ダクト１４と、第４引出し機構１３ｄの引出し本体２１とを含む斜視図である。また、図５は、ダクト１４を下方から見上げた斜視図である。また、図６は、ダクト１４の断面図である。これらの図に示すように、ダクト１４は、基部１４ａと、前後片１４ｂと、内向き片１４ｃと、外向き片１４ｄと、第１係止片１４ｅと、第２係止片１４ｆとを備えている。
【００３５】
基部１４ａは、天板１１の下面と並行な平板状の部位である。前後片１４ｂは、基部１４ａの前後端から下方に向かって垂下して設けられている。前後片１４ｂは、基部１４ａの前側の端部と後側の端部とに各々設けられており、これら２つの前後片１４ｂで一対とされている。このような前後片１４ｂは、基部１４ａの前後端の全域に設けられている。また、各前後片１４ｂには、ダクト１４の外側と内側とを連通する貫通孔１４ｇを備えている。この貫通孔１４ｇは、引出し本体２１の第１配線挿通部２４ａと対向する位置に設けられている。なお、貫通孔１４ｇに替えて、孔形状でない貫通部を設けるようにしても良い。
【００３６】
内向き片１４ｃは、各前後片１４ｂの下端から他方の前後片１４ｂに向かって水平に延設される部位である。これらの内向き片１４ｃは、第一テーブル什器１００と第二テーブル什器２００との間で架け渡される配線である電源配線Ｈ１が載置される。外向き片１４ｄは、各前後片１４ｂの下端から他方の前後片１４ｂと反対側に向かって水平に延設される部位である。これらの外向き片１４ｄは、天板１１で使用される電子機器と接続されるＬＡＮ配線Ｈ２が載置される。
【００３７】
第１係止片１４ｅは、内向き片１４ｃの内側端に立設されると共に上端が基部１４ａと離間されている部位である。この第１係止片１４ｅは、内向き片１４ｃに載置される電源配線Ｈ１が落下することを防止する。また、図６に示すように、基部１４ａと、前後片１４ｂと、内向き片１４ｃと、第１係止片１４ｅとによって囲まれる空間は、後述の電源タップＨ１２の断面形状よりも僅かに大きく、当該電源タップＨ１２が収容される。さらに、第１係止片１４ｅと基部１４ａとの隙間寸法は、電源タップＨ１２の高さ寸法よりも小さく設定されている。これによって、電源タップＨ１２が内向き片１４ｃから脱落することを防止することができる。なお、図５に示すように、第１係止片１４ｅは、左右方向における中央部において設けられていない。この第１係止片１４ｅが設けられていない領域を介して、基部１４ａと、前後片１４ｂと、内向き片１４ｃと、第１係止片１４ｅとによって囲まれる空間に電源タップＨ１２を差し込むことが可能とされている。
【００３８】
第２係止片１４ｆは、外向き片１４ｄの外側端に立設されると共に上端が基部１４ａと離間されている部位である。この第２係止片１４ｆは、外向き片１４ｄに載置されるＬＡＮ配線Ｈ２が落下することを防止する。
【００３９】
第二テーブル什器２００は、第一テーブル什器１００と略同一の構成を有している。ここでは、第二テーブル什器２００の第一テーブル什器１００と異なる点のみについて説明する。
【００４０】
第二テーブル什器２００の各脚部１２の下端部には、第一テーブル什器１００の各脚部１２の下端部に設けられているローラに替わり、アジャスタが設けられている。これは、第一テーブル什器１００は、テーブルシステム１の使用態様に柔軟に対応するために、第二テーブル什器２００及びモニタースタンド３００に対して移動可能とされているのに対して、第二テーブル什器２００は、あまり移動させることがないモニタースタンド３００と連結されており、移動することを前提としていないためである。
【００４１】
また、第二テーブル什器２００においては、第一テーブル什器１００における第３引出し機構１３ｃの引出し本体２１が取り外されている。これは、当該引出し本体２１が収容される空間に引出し本体２１に替えてモニタースタンド３００の固定用アーム３０が挿入されるためである。
【００４２】
モニタースタンド３００は、上述の固定用アーム３０、モニターＭが固定されるモニター支持部３１、通信機器等を収容するコンソールボックス３２、モニターＭの裏側を囲うバックパネル３３及びバックパネル３３の下方を覆うアンダーカバー３４等を備えている。このようなモニタースタンド３００は、床面から取り出された電源配線Ｈ１及びＬＡＮ配線Ｈ２（あるいは他の通信用配線）をモニターＭやコンソールボックス３２内部に引き込み可能とされている。
【００４３】
これらの第一テーブル什器１００、第二テーブル什器２００及びモニタースタンド３００は、左右方向に配列されて連結されている。モニタースタンド３００と第二テーブル什器２００とは、モニタースタンド３００の固定用アーム３０が、取り外された第３引出し機構１３ｃの引出し本体２１の収容空間に挿入され、この固定用アーム３０が第二テーブル什器２００の天板１１に固定されることによって連結されている。
【００４４】
第二テーブル什器２００と第一テーブル什器１００とは、第二テーブル什器２００の第１引出し機構１３ａと、第一テーブル什器１００の第３引出し機構１３ｃとが対向するようにして、不図示の連結器具によって連結されている。このように第二テーブル什器２００と第一テーブル什器１００とが連結されることによって、本実施形態においては、第二テーブル什器２００の第１引出し機構１３ａの引出し本体２１と、第一テーブル什器１００の第３引出し機構１３ｃの引出し本体２１とは、図２に示すように、引き出すことはできなくなっている。
【００４５】
なお、本実施形態においては、第一テーブル什器１００及び第二テーブル什器２００が、本発明のテーブル什器に相当する。本発明のテーブル什器は、他の什器と連結可能なものである。ここで、第一テーブル什器１００をテーブル什器として見た場合には、第二テーブル什器２００が本発明における他の什器に相当し、第二テーブル什器２００をテーブル什器として見た場合には、第一テーブル什器１００及びモニタースタンド３００が本発明における他の什器に相当する。つまり、第一テーブル什器１００及び第二テーブル什器２００は、本発明のテーブル什器に相当すると同時に本発明の他の什器にも相当する。
【００４６】
図７は、本実施形態のテーブルシステム１において引き回される電源配線Ｈ１及びＬＡＮ配線Ｈ２を模式的に示す配線図である。床面から引き出された電源配線Ｈ１は、電源タップ付きの配線が複数接続されることによって形成されており、図７に示すように、モニタースタンド３００に引き込まれ、モニタースタンド３００から第二テーブル什器２００の天板１１の下側を通り、第二テーブル什器２００のダクト１４の内向き片１４ｃに載置される。この電源配線Ｈ１は、第二テーブル什器２００のダクト１４の内向き片１４ｃに載置された電源タップＨ１１から、第二テーブル什器２００の第１引出し機構１３ａ方向と、第２引出し機構１３ｂ方向と、第４引出し機構１３ｄ方向との３方向に分岐されている。
【００４７】
第二テーブル什器２００のダクト１４から第１引出し機構１３ａ方向に分岐された電源配線Ｈ１は、第二テーブル什器２００の第１引出し機構１３ａの引出し本体２１に設けられた第１配線挿通部２４ａを通じて当該引出し本体２１の内部に引き込まれ、また配線挿通部２３ａを通じて当該引出し本体２１の外部に送り出されている。
【００４８】
さらに、当該電源配線Ｈ１は、第一テーブル什器１００の第３引出し機構１３ｃの引出し本体２１に設けられた配線挿通部２３ａを通じて当該引出し本体２１の内部に引き込まれ、また第１配線挿通部２４ａを通じて当該引出し本体２１の外部に送り出されている。このように第一テーブル什器１００の第３引出し機構１３ｃの引出し本体２１から送り出された電源配線Ｈ１は、第一テーブル什器１００のダクト１４の内向き片１４ｃに載置される。この電源配線Ｈ１は、第一テーブル什器１００のダクト１４の内向き片１４ｃに載置された電源タップＨ１２から、第一テーブル什器１００の第１引出し機構１３ａ方向と、第２引出し機構１３ｂ方向と、第４引出し機構１３ｄ方向との３方向に分岐されている。
【００４９】
第二テーブル什器２００の電源タップＨ１１から第二テーブル什器２００の第２引出し機構１３ｂ方向に分岐された電源配線Ｈ１は、電源タップＨ１３が第二テーブル什器２００の第２引出し機構１３ｂの引出し本体２１に収容されるように、第二テーブル什器２００のダクト１４の貫通孔１４ｇと、当該引出し本体２１の第２配線挿通部２４ｂとを通じて引き回されている。また、第二テーブル什器２００の電源タップＨ１１から第二テーブル什器２００の第４引出し機構１３ｄ方向に分岐された電源配線Ｈ１は、電源タップＨ１４が第二テーブル什器２００の第４引出し機構１３ｄの引出し本体２１に収容されるように、第二テーブル什器２００のダクト１４の貫通孔１４ｇと、当該引出し本体２１の第２配線挿通部２４ｂとを通じて引き回されている。
【００５０】
また、第一テーブル什器１００の電源タップＨ１２から第一テーブル什器１００の第１引出し機構１３ａ方向に分岐された電源配線Ｈ１は、電源タップＨ１５が第一テーブル什器１００の第１引出し機構１３ａの引出し本体２１に収容されるように、当該引出し本体２１の第２配線挿通部２４ｂを通じて引き回されている。また、第一テーブル什器１００の電源タップＨ１２から第一テーブル什器１００の第２引出し機構１３ｂ方向に分岐された電源配線Ｈ１は、電源タップＨ１６が第一テーブル什器１００の第２引出し機構１３ｂの引出し本体２１に収容されるように、第一テーブル什器１００のダクト１４の貫通孔１４ｇと、当該引出し本体２１の第２配線挿通部２４ｂとを通じて引き回されている。また、第一テーブル什器１００の電源タップＨ１２から第一テーブル什器１００の第４引出し機構１３ｄ方向に分岐された電源配線Ｈ１は、電源タップＨ１７が第一テーブル什器１００の第４引出し機構１３ｄの引出し本体２１に収容されるように、第一テーブル什器１００のダクト１４の貫通孔１４ｇと、当該引出し本体２１の第２配線挿通部２４ｂとを通じて引き回されている。
【００５１】
床面から引き出されたＬＡＮ配線Ｈ２は、コンソールボックス３２に設置されたルータＲによって、第二テーブル什器２００の第２引出し機構１３ｂ方向と、第二テーブル什器２００の第４引出し機構１３ｄ方向と、第一テーブル什器１００の第１引出し機構１３ａ方向と、第一テーブル什器１００の第２引出し機構１３ｂ方向と、第一テーブル什器１００の第４引出し機構１３ｄ方向との５方向に分岐されている。
【００５２】
第二テーブル什器２００の第２引出し機構１３ｂ方向に分岐されたＬＡＮ配線Ｈ２は、第二テーブル什器２００のダクト１４の外向き片１４ｄに載置され、さらに第二テーブル什器２００の第２引出し機構１３ｂの引出し本体２１に設けられた第２配線挿通部２４ｂを通じて、モジュラージャックＨ２１が当該引出し本体２１に収容されるように引き回されている。また、第二テーブル什器２００の第４引出し機構１３ｄ方向に分岐されたＬＡＮ配線Ｈ２は、第二テーブル什器２００のダクト１４の外向き片１４ｄに載置され、さらに第二テーブル什器２００の第４引出し機構１３ｄの引出し本体２１に設けられた第２配線挿通部２４ｂを通じて、モジュラージャックＨ２２が当該引出し本体２１に収容されるように引き回されている。
【００５３】
また、第一テーブル什器１００の第１引出し機構１３ａ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第１引出し機構１３ａの引出し本体２１に設けられた第２配線挿通部２４ｂを通じて、モジュラージャックＨ２３が当該引出し本体２１に収容されるように引き回されている。
【００５４】
また、第一テーブル什器１００の第２引出し機構１３ｂ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第２引出し機構１３ｂの引出し本体２１に設けられた第２配線挿通部２４ｂを通じて、モジュラージャックＨ２４が当該引出し本体２１に収容されるように引き回されている。
【００５５】
また、第一テーブル什器１００の第４引出し機構１３ｄ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第４引出し機構１３ｄの引出し本体２１に設けられた第２配線挿通部２４ｂを通じて、モジュラージャックＨ２５が当該引出し本体２１に収容されるように引き回されている。
【００５６】
なお、第１配線挿通部２４ａ、第２配線挿通部２４ｂ及び第３配線挿通部２４ｃのうち、いずれかの配線挿通部を通じて電源配線Ｈ１及びＬＡＮ配線Ｈ２を引き回すかは任意に変更可能である。また、ここで説明する配線パターンは一例であり、配線種類や配線本数等は任意に変更可能である。例えば、モニターＭと天板１１上に載置されるパーソナルコンピュータとを接続するための通信配線を引き回しても良い。
【００５７】
以上のような第一テーブル什器１００及び第二テーブル什器２００によれば、ダクト１４の内向き片１４ｃを用いて第一テーブル什器１００及び第二テーブル什器２００との間で架け渡される電源配線Ｈ１を引き回すことができ、ダクト１４の外向き片１４ｄを用いて天板１１で使用される電子機器と接続されるＬＡＮ配線Ｈ２を引き回すことができる。このため、第一テーブル什器１００及び第二テーブル什器２００と連結して配列したときに、第一テーブル什器１００及び第二テーブル什器２００間の電源配線Ｈ１とＬＡＮ配線Ｈ２の引き回しと、第一テーブル什器１００及び第二テーブル什器２００の各々における電源配線Ｈ１とＬＡＮ配線Ｈ２の引き回しとを容易に行うことができる。
【００５８】
また、本実施形態の第一テーブル什器１００及び第二テーブル什器２００においては、背面パネル２４に配線挿通部（第１配線挿通部２４ａ、第２配線挿通部２４ｂ及び第３配線挿通部２４ｃ）が設けられた引出し本体２１と、当該引出し本体２１をスライド可能に支持する支持レール２０とからなる引出し機構１３を備え、ダクト１４の外向き片１４ｄに載置されたＬＡＮ配線Ｈ２が背面パネル２４に設けられた第２配線挿通部２４ｂを通じて引出し本体２１の内部に引き込まれている。このため、第一テーブル什器１００及び第二テーブル什器２００の各々におけるＬＡＮ配線Ｈ２の引き回しをより容易に行うことができる。
【００５９】
また、本実施形態の第一テーブル什器１００及び第二テーブル什器２００においては、天板１１の平面視形状が矩形であり、当該矩形の４辺の各々に対して引出し本体２１が設けられている。このため、複数の引出し本体２１が設置されることになるため、引出し本体２１を使用できる範囲を広げることが可能となる。また、他の什器が連結されている方向を除き、前後左右のどの方向からアクセスした場合であっても、引出し本体２１を使用することができる。
【００６０】
また、本実施形態の第一テーブル什器１００及び第二テーブル什器２００においては、前後片１４ｂに貫通孔１４ｇが設けられている。このため、内向き片１４ｃに載置される電源配線Ｈ１を貫通孔１４ｇを通じて容易にダクト１４の外側に引き出すことができ、電源配線Ｈ１の引き回しを容易に行うことができる。
【００６１】
また、本実施形態の第一テーブル什器１００及び第二テーブル什器２００においては、内向き片１４ｃに載置される電源配線Ｈ１が電源タップＨ１１及び電源タップＨ１２を有し、内向き片１４ｃの内側端に立設されると共に上端が基部１４ａと離間された第１係止片１４ｅを備え、基部１４ａと、前後片１４ｂと、内向き片１４ｃと、第１係止片１４ｅとによって囲まれる空間に電源タップＨ１１及び電源タップＨ１２を収容すると共に、第１係止片１４ｅと基部１４ａとの隙間寸法が電源タップＨ１１及び電源タップＨ１２の高さ寸法よりも小さく設定されている。このため、内向き片１４ｃに載置される電源タップＨ１１及び電源タップＨ１２が、内向き片１４ｃから脱落することを防止することができる。このため、電源タップＨ１１及び電源タップＨ１２に対するコンセントの抜き差し作業を容易に行うことが可能となる。
【００６２】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【００６３】
例えば、上記実施形態におけるダクト１４の形状は一例であり、本発明はこれに限定されるものではない。例えば、上記実施形態においては、内向き片１４ｃや外向き片１４ｄが左右方向に延在する構成について説明した。しかしながら、前後方向に延在する内向き片及び外向き片をさらに備え、内向き片及び外向き片が十字状に配設される構成を採用することも可能である。
【００６４】
また、上記実施形態においては、電源タップに対して磁石が設けられていることが望ましい。これによって、引出し本体２１やダクト１４を常磁性体材料からなる場合には、電源タップを引出し本体２１やダクト１４に対して固着させることができる。
【００６５】
また、上記実施形態においては、天板１１の平面視形状が正方形であり、脚部１２を４つ備えた構成について説明した。しかしながら、本発明はこれに限定されるものではなく、例えば、天板の平面視形状が長方形であっても良い。また、例えば、天板の平面視形状が五角形や六角形等の多角形である各角部に脚部が設けられた構成を採用することも可能である。
【符号の説明】
【００６６】
１……テーブルシステム、１１……天板、１１ａ……作業面、１２……脚部、１２ａ……第１脚部、１２ｂ……第２脚部、１２ｃ……第３脚部、１２ｄ……第４脚部、１３……引出し機構、１３ａ……第１引出し機構、１３ｂ……第２引出し機構、１３ｃ……第３引出し機構、１３ｄ……第４引出し機構、１４……ダクト、１４ａ……基部、１４ｂ……前後片、１４ｃ……内向き片、１４ｄ……外向き片、１４ｅ……第１係止片（係止片）、１４ｆ……第２係止片、１４ｇ……貫通孔、２０……支持レール（支持手段）、２０ａ……突出部、２１……引出し本体、２２……底板、２３……前面パネル、２３ａ……配線挿通部、２４……背面パネル、２４ａ……第１配線挿通部、２４ｂ……第２配線挿通部、２４ｃ……第３配線挿通部、２４ｄ……可撓性環状部材、２５……側面パネル、３０……固定用アーム、３１……モニター支持部、３２……コンソールボックス、３３……バックパネル、３４……アンダーカバー、１００……第一テーブル什器（引出し付什器、テーブル什器、他の什器）、２００……第二テーブル什器（引出し付什器、テーブル什器、他の什器）、３００……モニタースタンド（他の什器）、Ｈ１……電源配線（配線）、Ｈ１１〜Ｈ１７……電源タップ、Ｈ２……ＬＡＮ配線（配線）、Ｈ２１〜Ｈ２５……モジュラージャック、Ｍ……モニター、Ｒ……ルータ
【図１】
2015084988.tif 000003
【図２】
2015084988.tif 000004
【図３】
2015084988.tif 000005
【図４】
2015084988.tif 000006
【図５】
2015084988.tif 000007
【図６】
2015084988.tif 000008
【図７】
2015084988.tif 000009